(57)【要約】【課題】身体の中心部である背部及び臀部を主として加温することができて、身体の発汗作用による新陳代謝の活発化を身体の中心部から促すことができる身体加温装置を提供する。【解決手段】使用者Ｍの身体を支持するためのフレームを備える。このフレームは座部１２ａ及び背もたれ部１２ｂを有する椅子１２から構成する。椅子１２の座部１２ａ及び背もたれ部１２ｂには、少なくとも使用者Ｍの背部Ｍｃ及び臀部Ｍｄに対応するように石板２１Ａ〜２１Ｄを設ける。それらの石板２１Ａ〜２１Ｄの裏面側には、石板２１Ａ〜２１Ｄを加温するためのヒータ２２Ａ〜２２Ｄを設ける。【選択図】図３
2007282667.tif 000002
【特許請求の範囲】
【請求項１】
身体を支持するためのフレームに、少なくとも背部及び臀部に対応して石板を設けるとともに、その石板を加温するための加温手段を設けたことを特徴とする身体加温装置。
【請求項２】
前記フレームは、座部及び背もたれ部を有する椅子であって、前記石板を座部及び背もたれ部に設けたことを特徴とする請求項１に記載の身体加温装置。
【発明の詳細な説明】
【技術分野】
【０００１】
この発明は、使用者の身体を加温することにより、身体の発汗作用を促進して新陳代謝を活発化するようにした身体加温装置に関するものである。
【背景技術】
【０００２】
従来のこの種の身体加温装置としては、例えば、特許文献１に開示されるような構成のものが提案されている。この従来構成においては、座部及び背もたれ部を有する椅子本体の両側板の上端に、手温浴用湯を収容するための一対の手温浴槽が配設されている。また、椅子本体の座部の前方下部には、足温浴用湯を収容するための足温浴槽が配設されている。そして、使用者が椅子本体に着座した状態で、両手を手温浴槽内の手温浴用湯に浸すとともに、両足を足温浴槽内の足温浴用湯に浸すことにより、両手足が同時に加温されるようになっている。
【特許文献１】特開昭６０−２５６４５４号公報
【発明の開示】
【発明が解決しようとする課題】
【０００３】
ところが、この従来の身体加温装置においては、温浴用湯により身体の末端部の手足を加温することはできるが、身体の中心部である背部や臀部を加温することができない。よって、身体の発汗作用による新陳代謝の活発化を身体の中心部から有効に促すことができないという問題があった。
【０００４】
この発明は、このような従来の技術に存在する問題点に着目してなされたものである。その目的は、身体の中心部である背部及び臀部を主として加温することができて、身体の発汗作用による新陳代謝の活発化を身体の中心部から促すことができる身体加温装置を提供することにある。
【課題を解決するための手段】
【０００５】
上記の目的を達成するために、この発明は、身体を支持するためのフレームに、少なくとも背部及び臀部に対応して石板を設けるとともに、その石板を加温するための加温手段を設けたことを特徴としている。
【０００６】
従って、石板が加温された状態で、使用者の身体の背部及び臀部を石板に接触させることにより、身体全体が身体の中心部である背部及び臀部から有効に加温される。よって、身体の発汗作用を身体全体にわたって効果的に促すことができて、新陳代謝の活発化を図ることができる。
【０００７】
また、前記の構成において、前記フレームは座部及び背もたれ部を有する椅子から構成し、前記石板を座部及び背もたれ部に設けるとよい。このように構成した場合には、使用者が椅子に着座した状態で、身体の背部及び臀部を有効に加温することができる。
【発明の効果】
【０００８】
以上のように、この発明によれば、身体の中心部である背部及び臀部を主として加温することができて、身体の発汗作用による新陳代謝の活発化を身体の中心部から促すことができる。
【発明を実施するための最良の形態】
【０００９】
（第１実施形態）
以下に、この発明の第１実施形態を、図１〜図４に基づいて説明する。
図１〜図３に示すように、この実施形態の身体加温装置１１においては、使用者Ｍの身体を支持するためのフレームが椅子１２から構成されている。その椅子１２は、座部１２ａ、背もたれ部１２ｂ、一対の肘掛部１２ｃ及び脚部１２ｄを有するように合成樹脂により一体に成形された椅子本体１２Ａを備えている。また、椅子１２は、前記椅子本体１２Ａの後側下部に取り付けられた合成樹脂製の後部ケース１２Ｂと、椅子本体１２Ａ及び後部ケース１２Ｂの下面に取り付けられた底板１２Ｃとを備えている。底板１２Ｃの下面には複数のキャスタ１３が配設され、これらのキャスタ１３により身体加温装置１１全体を所望の位置に移動できるようになっている。
【００１０】
前記椅子本体１２Ａの両肘掛部１２ｃの上端には手温浴用湯を収容するための一対の手温浴槽１４が形成され、その底部には身体加温装置１１の前方側に向かって次第に下降傾斜する傾斜面１４ａが形成されている。各手温浴槽１４内の一側前面の上部には給湯口１５が開口されるとともに、各手温浴槽１４内の底面には排湯口１６が開口されている。そして、給湯口１５から手温浴槽１４内に供給される手温浴用湯が排湯口１６から排出されるようになっている。このため、図２に矢印で示すように、給湯口１５から手温浴槽１４内に供給される手温浴用湯が、手温浴槽１４の内周面に沿って周回される。
【００１１】
前記椅子本体１２Ａの脚部１２ｄの下端下部には、足温浴用湯を収容するための足温浴槽１７が前方に向かって張り出すように形成されている。足温浴槽１７内の一側前端及び他側後端の上部には一対の給湯口１８が開口されるとともに、足温浴槽１７内の底面には一対の排湯口１９が開口されている。そして、両給湯口１８から足温浴槽１７内に供給される足温浴用湯が、両排湯口１９から排出されるようになっている。このため、図２に矢印で示すように、両給湯口１８から足温浴槽１７内に供給される足温浴用湯が、足温浴槽１７の内周面に沿って旋回される。そして、図３に鎖線で示すように、使用者Ｍが椅子本体１２Ａに着座した状態で、両手Ｍａを手温浴槽１４内の手温浴用湯に浸すとともに、両足Ｍｂを足温浴槽１７内の足温浴用湯に浸すことにより、両手Ｍａ，両足Ｍｂが同時に加温されるようになっている。
【００１２】
図１〜図３に示すように、前記椅子本体１２Ａの前面中央部には、背もたれ部１２ｂの前面から座部１２ａの上面にかけて延びるとともに、さらに座部１２ａから脚部１２ｄを経て足温浴槽１７の底面にかけて延びるように、つまり使用者Ｍの身体と対応する領域に位置するように上下２枚の当接板２０Ａ，２０Ｂが配置されている。使用者Ｍの背部Ｍｃ、臀部Ｍｄ、脹脛部Ｍｅ及び足Ｍｂの裏と対応するように、当接板２０Ａ，２０Ｂ上には熱伝導率及び遠赤外線放射率の高い石材からなる石板２１Ａ，２１Ｂ，２１Ｃ，２１Ｄが配設されている。また、これらの石板２１Ａ，２１Ｂ，２１Ｃ，２１Ｄは、その表面に銀粒等の抗菌材を含んでいる。各石板２１Ａ〜２１Ｄの裏面には加温手段としてのセラミックヒータ等よりなるヒータ２２Ａ，２２Ｂ，２２Ｃ，２２Ｄが接合配置され、これらのヒータ２２Ａ〜２２Ｄにより各石板２１Ａ〜２１Ｄが加温されるようになっている。
【００１３】
図１及び図３に示すように、前記椅子本体１２Ａの座部１２ａの後端には、必要に応じて使用者Ｍの腰部Ｍｆ、特に腰椎に部分にフィットする腰部クッション２３が配置される。また、背もたれ部１２ｂの上端には、必要に応じて使用者Ｍの頭部Ｍｇや首部Ｍｈを支持するための頭部クッション２４が係止具２５を介して着脱可能に取り付けられる。この頭部クッション２４内には、マイナスイオンを発生して、周囲に放散するためのイオン発生材（図示しない）が内蔵されている。さらに、手温浴槽１４の側部外面には、必要に応じてソフトドリンクの瓶や缶等の容器を保持するためのドリンクホルダ２６が着脱可能に取り付けられる。
【００１４】
図３に示すように、前記後部ケース１２Ｂの後面には開口部２７が形成され、その開口部２７には蓋体２８が着脱可能に取り付けられている。開口部２７に対応して底板１２Ｃ上には支持板２９が配設され、その支持板２９の後面には図４にも示すように、１つのフィルタ容器３０及び一対の充填材容器３１が支持されている。フィルタ容器３０内には、手温浴槽１４及び足温浴槽１７からの手足温浴用湯を濾過するためのフィルタ３０ａが交換可能に収容されている。充填材容器３１内には、手温浴槽１４及び足温浴槽１７への手足温浴用湯に成分を溶解させるためのトゴール鉱石粒３１ａまたはゲルマニウム粉末３１ｂが択一的に収容されるようになっている。
【００１５】
図４に示すように、前記手温浴槽１４及び足温浴槽１７の給湯口１５，１８と排湯口１６，１９との間には循環路３２が設けられ、その循環路３２中には手足温浴用湯を循環させるためのポンプ３３が接続されている。手温浴槽１４，足温浴槽１７の排湯口１６，１９とポンプ３３との間の循環路３２中には、温浴用湯を循環路３２外に排出するための排出バルブ３４、前記フィルタ容器３０及び充填材容器３１が接続されている。ポンプ３３と手温浴槽１４，足温浴槽１７の給湯口１５，１８との間の循環路３２中には、手足温浴用湯を殺菌するための紫外線殺菌器３５及び手足温浴用湯を昇温及び保温するための保温用ヒータ３６が接続されている。
【００１６】
図１〜図３に示すように、前記椅子本体１２Ａにおける右側の肘掛部１２ｃの前面には操作パネル３７が配設されている。この操作パネル３７上には、身体加温装置１１を起動または停止させるためのオンオフスイッチ３７ａ、前記石板２１Ａ〜２１Ｄ用のヒータ２２Ａ〜２２Ｄの加温温度を調節するための調節スイッチ３７ｂ、前記循環路３２中の保温用ヒータ３６の保温温度，手足温浴用湯の温度を調節するための調節スイッチ３７ｃ等が配置されている。
【００１７】
次に、前記のように構成された実施形態の身体加温装置１１の作用を説明する。
さて、この身体加温装置１１の使用時には、操作パネル３７上のオンオフスイッチ３７ａを操作すると、ポンプ３３が駆動されて、手足温浴用湯が循環路３２内において循環される。それとともに、循環路３２中の保温用ヒータ３６に通電されて、その保温用ヒータ３６により手足温浴用湯が所定の調節温度に保温される。また、この手足温浴用湯の循環中には、フィルタ容器３０内のフィルタ３０ａにより手足温浴用湯が濾過されるとともに、充填材容器３１内のトゴール鉱石粒３１ａまたはゲルマニウム粉末３１ｂの成分が手足温浴用湯に溶解される。さらに、紫外線殺菌器３５により手足温浴用湯が殺菌される。そして、手足温浴用湯の循環に伴い、手温浴用湯が手温浴槽１４内において旋回流動されるとともに、足温浴槽１７内において足温浴用湯が旋回流動される。
【００１８】
よって、図３に鎖線で示すように、使用者Ｍが椅子本体１２Ａに着座して、両手Ｍａを両手温浴槽１４内の手温浴用湯に浸すとともに、両足Ｍｂを足温浴槽１７内の足温浴用湯に浸すと、両手Ｍａ，両足Ｍｂが手足温浴用湯にて同時に加温される。この場合、両手温浴槽１４の底面には前下がり状態の傾斜面１４ａが形成されているため、両手Ｍａを手温浴槽１４内で傾斜面１４ａに沿って前下がりの自然な状態に収容配置することができる。
【００１９】
一方、前記オンオフスイッチ３７ａの操作時には、石板２１Ａ〜２１Ｄ用のヒータ２２Ａ〜２２Ｄに通電されて、それらのヒータ２２Ａ〜２２Ｄにより石板２１Ａ〜２１Ｄが所定の調節温度に加温される。よって、使用者Ｍが椅子本体１２Ａに着座した状態で、背部Ｍｃ、臀部Ｍｄ、脹脛部Ｍｅ及び足Ｍｂの裏を石板２１Ａ〜２１Ｄに接触させることにより、それらの部位が石板２１Ａ〜２１Ｄにて加温される。このため、前記手足温浴用湯による両手Ｍａ，両足Ｍｂの加温と、石板２１Ａ〜２１Ｄによる背部Ｍｃ及び臀部Ｍｄ等の加温との相乗効果により、使用者Ｍの身体全体を身体の中心部及び先端部から有効に加温する。従って、身体の発汗作用を身体全体にわたって効果的に促すことができて、新陳代謝の活発化を図ることができる。
【００２０】
この実施形態の効果を列挙すれば以下の通りである。
（１）  使用者Ｍの両手Ｍａ及び両足Ｍｂを手温浴槽１４及び足温浴槽１７内において温浴加温することができる。そして、この場合、旋回する温浴流によりマッサージ効果を付与することができる。
【００２１】
（２）  両手Ｍａを手温浴槽１４内において傾斜面１４ａに沿って前下がりの自然な状態にすることができて、局部圧迫等を避けてリラックスさせることができる。
（３）  トゴール鉱石粒３１ａまたはゲルマニウム粉末３１ｂの成分を温浴用湯に溶解させることができるため、温浴効果に加えてトゴール鉱石やゲルマニウムによる効用を得ることができる。
【００２２】
（４）  使用者Ｍの背部Ｍｃ、臀部Ｍｄ、脹脛部Ｍｅ及び足Ｍｂの裏を石板２１Ａ〜２１Ｄにより加温させることができる。このとき、石板２１Ａ〜２１Ｄから多量の遠赤外線が放射されるため、使用者Ｍの身体の内部まで有効に加温することができる。
【００２３】
（５）  腰部クッション２３を用いれば、腰部を無理なく支持でき、頭部クッション２４を用いれば頭部を無理なく支持でき、しかも、頭部クッション２４から放散されるマイナスイオンにより、爽快感とくつろぎ感とを得ることができる。
【００２４】
（６）ドリンクホルダ２６を用いれば、ソフトドリンクやミネラルウォーターを保持できて、使用者Ｍは着座状態のままソフトドリンク等を供することができる。
（第２実施形態）
次に、この発明の第２実施形態を、前記第１実施形態と異なる部分を中心に説明する。
【００２５】
さて、この第２実施形態の身体加温装置４１においては、図５に示すように、使用者の身体を支持するためのフレームがベッド４２から構成されている。ベッド４２の台板４３上には仰臥状態の使用者の身体に対応する当接板４４が配設されている。使用者の背部、臀部及び脹脛部と対応するように、当接板４４上には熱伝導率及び遠赤外線放射率の高い石材からなる石板４５Ａ，４５Ｂ，４５Ｃが配設されている。各石板４５Ａ〜４５Ｃの裏面には加温手段としてのセラミックヒータ等よりなるヒータ４６Ａ，４６Ｂ，４６Ｃが接合配置され、これらのヒータ４６Ａ〜４６Ｃにより各石板４５Ａ〜４５Ｃが加温されるようになっている。
【００２６】
従って、この第２実施形態の身体加温装置４１においては、使用者がベッド４２の台板４３上に仰向け状態で横たわると、身体の背部、臀部及び脹脛部が石板４５Ａ〜４５Ｃに接触して加温される。よって、身体を背部及び臀部から有効に加温することができ、身体全体にわたって発汗作用を効果的に促すことができて、新陳代謝の活発化を図ることができる。
【００２７】
（変更例）
なお、この実施形態は、次のように変更して具体化することも可能である。
・  前記第１実施形態の身体加温装置１１において、操作パネル３７を椅子本体１２Ａの肘掛部１２ｃの右側または左側の外面に設けること。
【００２８】
・  前記第１実施形態の身体加温装置１１において、操作パネル３７に代えてリモートコントロールスイッチを設けること。このようにすれば、着座者以外の者が身体加温装置１１の動作をコントロールできる。
【００２９】
・  ヒータ２２Ａ，２２Ｂ，２２Ｃ，２２Ｄとして、自動温度調節機能を有するもの、例えばチタン酸バリウム磁器を用いること。このチタン酸バリウム磁器は、自身の温度に応じて電気抵抗値が変化するため、所定温度（例えば摂氏４０〜４５度）まで昇温すると、通電が遮断されて、その温度近辺の温度を自動的に維持できる。従って、このように構成すれば、ヒータ２２Ａ，２２Ｂ，２２Ｃ，２２Ｄの温度制御機構を簡素化できる。
【００３０】
（他の技術的思想）
前記実施形態から把握されるが、請求項に記載されていない技術的思想を以下に述べる。
【００３１】
（Ａ）  脹脛部及び足の裏に対応して石板を設けたことを特徴とする請求項１または２に記載の身体加温装置。
（Ｂ）  フレームが椅子よりなることを特徴とする請求項１，２，前記（Ａ）項に記載の身体加温装置。
【００３２】
（Ｃ）  肘掛け部分に手温浴槽を、下部に足温浴槽をそれぞれ設け、前記手温浴槽の底壁を手先側に向かって下降傾斜させたことを特徴とする前記（Ｂ）項に記載の身体加温装置。
【００３３】
（Ｄ）  特定成分を温水中に溶解させるための無機物を収容するようにした収容手段を温水の循環路中に配置したことを特徴とする前記（Ｃ）項に記載の身体加温装置。
【図面の簡単な説明】
【００３４】
【図１】第１実施形態の身体加温装置を示す斜視図。
【図２】図１の身体加温装置の平面図。
【図３】同身体加温装置の断面図。
【図４】同身体加温装置における温浴用湯の循環路を示す配管図。
【図５】第２実施形態の身体加温装置を示す斜視図。
【符号の説明】
【００３５】
１１…身体加温装置、１２…フレームを構成する椅子、１２Ａ…椅子本体、１２ａ…座部、１２ｂ…背もたれ部、１２ｃ…肘掛部、１４…手温浴槽、１７…足温浴槽、２１Ａ〜２１Ｄ…石板、２２Ａ〜２２Ｄ…加温手段としてのヒータ、４１…身体加温装置、４２…フレームを構成するベッド、４３…台板、４５Ａ〜４５Ｃ…石板、４６Ａ〜４６Ｃ…加温手段としてのヒータ、Ｍ…使用者、Ｍａ…手、Ｍｂ…足、Ｍｃ…背部、Ｍｄ…臀部。
【図１】
2007282667.tif 000003
【図２】
2007282667.tif 000004
【図３】
2007282667.tif 000005
【図４】
2007282667.tif 000006
【図５】
2007282667.tif 000007